(57)【要約】【課題】複数枚のカードを左右に並べて収納できるとともに、これらのカードの挿入操作性を向上させることができるカード用コネクタ装置の提供。【解決手段】第１カード１１の挿入がそれぞれ可能で、互いに連通する左側挿入空間３と右側挿入空間４とを備え、左側挿入空間３に、第１カード１１を所定の装着位置に案内する左側案内部５を設け、右側挿入空間４に、第１カード１１を所定の装着位置に案内する右側案内部６を設けるとともに、挿入される第１カード１１を、左側案内部５及び右側案内部６のいずれかに振り分ける振り分け部を設けた。【選択図】      図５
2004151991.tif 000002
【特許請求の範囲】
【請求項１】
カードの挿入がそれぞれ可能で、互いに連通する左側挿入空間と右側挿入空間とを備えるとともに、
上記左側挿入空間に、上記カードを所定の装着位置に案内する左側案内部を設け、上記右側挿入空間に、上記カードを所定の装着位置に案内する右側案内部を設け、
挿入される上記カードを、上記左側案内部及び上記右側案内部のいずれかに振り分ける振り分け部を設けたことを特徴とするカード用コネクタ装置。
【請求項２】
上記請求項１記載の発明において、
上記左側案内部を上記左側挿入空間の底部に突出形成し、上記右側案内部を上記右側挿入空間の底部に突出形成するとともに、
上記振り分け部が、上記カードを上記左側案内部へ導く左側導入部と、上記カードを上記右側案内部へ導く右側導入部とから成ることを特徴とするカード用コネクタ装置。
【請求項３】
上記請求項２記載の発明において、
上記左側導入部が上記左側案内部に含まれ、上記右側導入部が上記右側案内部に含まれることを特徴とするカード用コネクタ装置。
【請求項４】
上記請求項２または３記載の発明において、
上記左側案内部、上記右側案内部、及び上記振り分け部を、上記カードに設けたガイド突部の係合が可能に形成したことを特徴とするカード用コネクタ装置。
【請求項５】
上記請求項４記載の発明において、
上記ガイド突部を上記カードの左右両端部のそれぞれに設けるとともに、
上記左側導入部と上記右側導入部のそれぞれを、上記カード挿入口側に向って先細形状に形成し、
上記カード挿入口側に位置する上記左側導入部の先端部と、上記カード挿入口側に位置する上記右側導入部の先端部との距離を、上記カードの上記ガイド突部間の距離とほぼ等しく設定したことを特徴とするカード用コネクタ装置。
【請求項６】
上記請求項５記載の発明において、
上記左側導入部の上記先端部の位置と、上記右側導入部の上記先端部の位置とを、カード挿入方向に対して互いにずれた位置に設定したことを特徴とするカード用コネクタ装置。
【発明の詳細な説明】
【０００１】
【発明の属する技術分野】
本発明は、情報記憶機能を有する複数枚のカードの収納が可能なカード用コネクタ装置に関する。
【０００２】
【従来の技術】
この種の従来技術として、互いに連通する上側挿入空間と下側挿入空間とを備え、それぞれの挿入空間に１枚ずつ第１カードの挿入を可能にし、さらに連通する上側挿入空間と下側挿入空間の２つの領域を使用して、第１カードよりも厚い１枚の第２カードを挿入可能にしたものがある。（例えば、特許文献１参照）。
【０００３】
この従来技術では、第１カードが上下方向に２枚挿入されるようになっているので、装置全体の高さ寸法が大きくなってしまう。このことから、カードを上下ではなく左右に並べて収納し、装置の薄型化を図りたいとの要望があった。このようにカードを左右に並べて収納する構成とすることにより、複数枚のカードの収納が可能で、しかも薄型のコネクタ装置を実現させることができる。
【０００４】
【特許文献１】
特開平６−３３２５７３号公報（００１６〜００２３、図１，２）
【０００５】
【発明が解決しようとする課題】
ところが、上述のようにカードを左右に並べて収納するコネクタ装置は、薄型化を実現できるものの、カードを所定の装置位置まで案内するカード案内構造に係る問題がある。すなわち、カード案内構造の如何によっては、カード挿入時に慎重な位置合わせ等の煩雑な動作が必要になり、カードの挿入操作性が悪くなる。これにより、コネクタ装置としての信頼性が低下する懸念がある。
【０００６】
本発明は、上述した従来技術における実状からなされたもので、その目的は、複数枚のカードを左右に並べて収納させることができるとともに、これらのカードの挿入操作性を向上させることができるカード用コネクタ装置を提供することにある。
【０００７】
【課題を解決するための手段】
上記目的を達成するために、本発明は、カードの挿入がそれぞれ可能で、互いに連通する左側挿入空間と右側挿入空間とを備えるとともに、上記左側挿入空間に、上記カードを所定の装着位置に案内する左側案内部を設け、上記右側挿入空間に、上記カードを所定の装着位置に案内する右側案内部を設け、挿入される上記カードを、上記左側案内部及び上記右側案内部のいずれかに振り分ける振り分け部を設けたことを特徴としている。
【０００８】
このように構成した本発明は、カードが挿入されると、そのカードの挿入位置に応じて振り分け部によってカードが左側案内部か右側案内部のどちらかに振り分けられる。すなわち例えば、カードが左側挿入空間に向けて挿入されると、振り分け部によって左側案内部に振り分けられる。このように振り分けられたカードは左側案内部によって案内されて所定の装着位置に係止される。また例えば、このように左側挿入空間にカードが収納されている状態において、カードが右側挿入空間に向けて挿入されると、振り分け部によってカードが右側案内部に振り分けられる。このように振り分けられたカードは右側案内部によって案内されて所定の装着位置に係止される。このようにして、カードを左右に並べて収納させることができる。
【０００９】
上述のように本発明は、カードを左右に並べて収納できるとともに、挿入されたカードが振り分け部によって、カードを案内する左側案内部、右側案内部のどちらかに振り分けられるので、カードを挿入する際に、左側挿入空間に向けて、あるいは右側挿入空間に向けて、大体の目安で挿入すればよい。すなわち、慎重な位置合わせを必要とすることがない。これにより、カードの挿入操作性を向上させることができる。
【００１０】
なお、左側挿入空間と右側挿入空間とを連通させてあることから、左側挿入空間、あるいは右側挿入空間に挿入されるカードの幅寸法の倍の幅寸法の１枚のカードの収納も可能である。
【００１１】
また本発明は、上記発明において、上記左側案内部を上記左側挿入空間の底部に突出形成し、上記右側案内部を上記右側挿入空間の底部に突出形成するとともに、上記振り分け部が、上記カードを上記左側案内部へ導く左側導入部と、上記カードを上記右側案内部へ導く右側導入部とから成ることを特徴としている。
【００１２】
このように構成した本発明は、例えばカードが左側挿入空間に向けて挿入されると、そのカードは左側導入部によって左側挿入空間の底部に突出形成される左側案内部に振り分けられ、この左側案内部により所定の装着位置まで案内される。同様に、カードが右側挿入空間に向けて挿入されると、そのカードは右側導入部によって右側挿入空間の底部に突出形成される右側案内部に振り分けられ、この右側案内部により所定の装着位置まで案内される。
【００１３】
また本発明は、上記発明において、上記左側導入部が上記左側案内部に含まれ、上記右側導入部が上記右側案内部に含まれることを特徴としている。
【００１４】
このように構成した本発明は、例えばカードが左側挿入空間に向けて挿入されると、そのカードは左側導入部から左側案内部の他の部分へと案内され、所定の装着位置まで導かれる。同様に、カードが右側挿入空間に向けて挿入されると、そのカードは右側導入部から右側案内部の他の部分へと案内され、所定の装着位置まで導かれる。
【００１５】
また本発明は、上記発明において、上記左側案内部、上記右側案内部、及び上記振り分け部を、上記カードに設けたガイド突部の係合が可能に形成したことを特徴としている。
【００１６】
このように構成した本発明は、例えばカードが左側挿入空間に向けて挿入されると、カードのガイド突部が振り分け部に係合して左側案内部に振り分けられ、このカードのガイド突部が左側案内部に係合しながら所定の装着位置まで案内される。同様に、カードが右側挿入空間に向けて挿入されると、カードのガイド突部が振り分け部に係合して右側案内部に振り分けられ、このカードのガイド突部が右側案内部に係合しながら所定の装着位置まで案内される。
【００１７】
また本発明は、上記発明において、上記ガイド突部を上記カードの左右両端部のそれぞれに設けるとともに、上記左側導入部と上記右側導入部のそれぞれを、上記カード挿入口側に向って先細形状に形成し、上記カード挿入口側に位置する上記左側導入部の先端部と、上記カード挿入口側に位置する上記右側導入部の先端部との距離を、上記カードの上記ガイド突部間の距離とほぼ等しく設定したことを特徴としている。
【００１８】
このように構成した本発明は、例えばカードが左側挿入空間に向けて挿入されると、カードのガイド突部の間に左側導入部の先端部を確実に位置させることができる。したがって、カードのガイド突部のいずれかを左側導入部に係合させてこのカードを左側案内部に振り分け、この左側案内部によって所定の装着位置まで案内させることができる。同様に、カードが右側挿入空間に向けて挿入されると、カードのガイド突部の間に右側導入部の先端部を確実に位置させることができる。したがって、カードのガイド突部のいずれかを右側導入部に係合させてこのカードを右側案内部に振り分け、この右側案内部によって所定の装着位置まで案内させることができる。
【００１９】
また本発明は、上記発明において、上記左側導入部の上記先端部の位置と、上記右側導入部の上記先端部の位置とを、カード挿入方向に対して互いにずれた位置に設定したことを特徴としている。
【００２０】
このように構成した本発明は、例えばカードが左側挿入空間と右側挿入空間の間のほぼ中央位置に挿入されたとき、左側導入部の先端部及び右側導入部の先端部のうちのカード挿入口に近い側に位置する先端部にカードのガイド突部が当る。これによりカードが傾き、その先端部が含まれる導入部によって該当する案内部にカードを確実に振り分けることができる。例えば、左側導入部の先端部が右側導入部の先端部よりもカード挿入口に近い側に位置する場合に、カードが左側挿入空間と右側挿入空間の間に挿入され、カードのガイド突部が左側導入部の先端部に当ったときには、カードが傾く。これにより、カードのガイド突部と左側導入部の先端部との間に滑りを生じ、左側導入部の先端部をガイド突部間に位置させることができる。したがって、カードは左側導入部によって振り分けられ、左側案内部により所定の装着位置まで案内される。
【００２１】
【発明の実施の形態】
以下，本発明のカード用コネクタ装置の実施形態を図に基づいて説明する。
【００２２】
［本実施形態の基本構成］
図１は本発明のカード用コネクタ装置の一実施形態を示す図で、（ａ）図は平面図、（ｂ）図は正面図、（ｃ）図は側面図である。
【００２３】
本実施形態は、後述の図２に示す基準幅を有する第１カード１１が左右に２枚挿入可能なように、水平方向に延設し平坦形状に形成してある。この図１に示すように、本体を形成する基台１と、この基台１を覆うように設けられる蓋部２とを備え、これらの基台１と蓋部２とによって筐体が形成されている。
【００２４】
図１の（ａ）（ｂ）図に示すように、この筐体内の左側位置には、第１カード１１の収納を可能にする左側挿入空間３を設けてあり、図示右側位置には、別の第１カード１１の収納を可能にする右側挿入空間４を設けてある。これらの左側挿入空間３と右側挿入空間４とは互いに連通させてある。
【００２５】
左側挿入空間３の底部には、第１カード１１を所定の装着位置に案内する左側案内部５を突出形成させてある。同様に、右側挿入空間４の底部にも、第１カード１１を所定の装着位置に案内する右側案内部６を突出形成させてある。
【００２６】
上述した左側案内部５は、図１の（ａ）図に示すように、カード挿入口１０に近づくにしたがって先細形状を形成するテーパ部５ａ，５ｃと、これらのテーパ部５ａ，５ｃに連なる直線部５ｂ，５ｄを有している。すなわち、テーパ部５ａと、これに連なる直線部５ｂとによって左側の側端部が形成され、テーパ部５ｃと、これに連なる直線部５ｄとによって右側の側端部が形成されている。また、テーパ部５ａとテーパ部５ｃとが交わる部分が、カード挿入口１０に最も接近する先端部５ｅを形成している。
【００２７】
同様に、右側案内部６も、図１の（ａ）図に示すように、カード挿入口１０に近づくに従って先細形状を形成するテーパ部６ａ，６ｃと、これらのテーパ部６ａ，６ｃに連なる直線部６ｂ，６ｄを有している。すなわち、テーパ部６ａと、これに連なる直線部６ｂとによって左側の側端部が形成され、テーパ部６ｃと、これに連なる直線部６ｄとによって右側の側端部が形成されている。また、テーパ部６ａとテーパ部６ｃが交わる部分が、カード挿入口１０に最も接近する先端部６ｅを形成している。
【００２８】
このように、左側挿入空間３、右側挿入空間４の底部に左側案内部５、右側案内部６をそれぞれ突出形成させたことにより、これらの左側案内部５と右側案内部６との間、左側案内部５と基台１の左壁部１ａとの間、及び右側案内部６と基台１の右側壁１ｂとの間には、それぞれ底面が形成されている。すなわち、左側案内部５と右側案内部５と間の領域には中央底面７が形成され、左側案内部５と左側壁１ａとの間には左側底面７ａが形成され、右側案内部６と右側側壁１ｂとの間には右側底面７ｂが形成されている。これらの中央底面７、左側底面７ａ、及び右側底面７ｂは、例えば同一平面上に形成してある。
【００２９】
また、上述の左側壁１ａ、右側壁１ｂのカード挿入口１０付近には、主に後述の図３に示す第２カード１２の挿入を容易にさせるテーパ部１０ａを設けてある。さらに、左側案内部５の奥側位置と、右側案内部６の奥側位置のそれぞれには、外部信号系統に接続される端子部材８，９を設けてある。
【００３０】
［使用可能な第１カードの構成］
図２は図１に示す本実施形態で使用される基準幅を有する第１カード１１を示す図で、（ａ）図は裏面図、（ｂ）図は側面図、（ｃ）図は（ｂ）図のＢ部断面図、（ｄ）図は背面図である。
【００３１】
この図２に示すように、第１カード１１は、前述した図１に示す左側挿入空間３あるいは右側挿入空間４のいずれかに挿入可能な基準幅を有し、裏面側の奥側部分の両側端部付近のそれぞれにガイド突部１１ａ，１１ｂを備えている。これらのガイド突部１１ａ，１１ｂは、前述した図１に示す左側案内部５、あるいは右側案内部６に係合可能に形成してある。
【００３２】
また、この第１カード１１は、奥側に前述した図１に示す端子部材８あるいは端子部材９に接触可能な接続部材１１ｃを備えている。
【００３３】
［使用可能な第２カードの構成］
図３は図１に示す本実施形態で使用される２倍幅、すなわち前述の基準幅の２倍の幅寸法を有する第２カード１２を示す図で、（ａ）図は裏面図、（ｂ）図は側面図、（ｃ）図は背面図である。
【００３４】
この図３に示すように、第２カード１２も、裏面側の奥側部分の両側端部付近のそれぞれにガイド突部１２ａ，１２ｂを備えている。ガイド突部１２ａは、例えば前述した図１の左側案内部５の左側端部に係合可能に形成してある。ガイド突部１２ｂは、例えば前述した図１の右側案内部６の右側端部に係合可能に形成してある。
【００３５】
また、この第２カード１２は、奥側に前述した図１に示す端子部材８に接触可能な接続部材１２ｃと、端子部材９に接触可能な接続部材１２ｄとを備えている。
【００３６】
本実施形態は、特に、挿入される第１カード１１を、図１に示す左側案内部５及び右側案内部６のいずれかに振り分ける振り分け部を備えている。この振り分け部は、例えば第１カード１１を左側案内部５へ導く左側導入部と、第１カ−ド１１を右側案内部６へ導く右側導入部とから成っている。
【００３７】
上述した左側導入部は、例えば左側案内部５に含まれるテーパ部５ａ，５ｃ、及び先端部５ｅによって構成されている。また、上述した右側導入部は、例えば右側案内部６に含まれるテーパ部６ａ，６ｃ、及び先端部６ｅによって構成されている。
【００３８】
また例えば、左側案内部５に含まれる左側導入部の先端部５ｅと、右側案内部６に含まれる右側導入部の先端部６ｅとの距離を、図２に示す第１カード１１の突部１１ａ，１１ｂ間の距離とほぼ等しく設定してある。
【００３９】
また例えば、上述した先端部５ｅの位置と、先端部６ｅの位置とを、カード挿入方向に対して、すなわち図１の（ａ）図の前後方向に対してほぼ同じ位置となるように設定してある。
【００４０】
また例えば、第１カード１１のガイド突部１１ａ，１１ｂの高さ寸法、及び第２カードの突部１２ａ，１２ｂの高さ寸法に比べて、図１に示す左側案内部５の高さ寸法、及び右側案内部６の高さ寸法を低く設定してある。すなわち、第１カード１１のガイド突部１１ａ，１１ｂの底面、及び第２カード１２のガイド突部１２ａ，１２ｂの底面が、図１に示す基台１上に形成される中央底面７、左側底面７ａ、右側底面７ｂのうちの該当するものの上を摺動可能になっている。
【００４１】
［第１カードの挿入操作］
図４は図１に示す第１実施形態において蓋部を除いた状態を示す平面図である。図５は本実施形態に第１カードが差し込まれた挿入時の状態を示す平面図、図６は図５に示す状態から第１カードがさらに押し込まれた挿入途中の状態を示す平面図、図７は図６に示す状態から第１カードがさらに押し込まれ所定の装着位置に係止された状態を示す平面図である。図８は第１カードが所定の装着位置に係止されたときの要部拡大側断面図である。
【００４２】
図４に示すカード未装着状態から、例えば図５に示すように、第１カード１１がカード挿入口１０から左側挿入空間３に向けて挿入されると、この第１カード１１のガイド突部１１ａが、左側案内部５の左側導入部、例えばテーパ部５ａに係合する。
【００４３】
この状態からさらに第１カード１１が差し込まれると、図６に示すように、第１カード１１のガイド突部１１ａがテーパ部５ａに沿って案内される。これとともに、第１カード１１のガイド突部１１ａの底面が基台１の左側底面７ａ上を摺動し、ガイド突部１１ｂの底面が中央底面７上を摺動する。これらの動作により第１カード１１は本実施形態の奥側に向って円滑に移動する。
【００４４】
引き続いて第１カード１１が押し込まれると、図７に示すように、第１カード１１のガイド突部１１ａがテーパ部５ａから直線部５ｂに沿って案内され、ガイド突部１１ｂが例えば直線部５ｄに係合し、この直線部５ｄに沿って案内される。これとともに、第１カード１１のガイド突部１１ａの底面がさらに左側底面７ａ上を摺動し、ガイド突部１１ｂの底面が中央底面７上を摺動する。これらの動作により、図８の側断面図で示すように、第１カード１１の接続部材１１ｃが端子部材８に接触し、所定の装着位置に係止される。したがって、この状態において第１カード１１に対する信号の送受信が端子部材８を介して可能となる。
【００４５】
また、図示しないが、上述のように第１カード１１が左側挿入空間３に収納されている状態において、別の第１カード１１を右側挿入空間４に向けて挿入すると、上述と同様にしてこの別の第１カード１１が右側案内部６によって案内され、所定の装着位置に係止される。このとき、上述と同様に、この別の第１カード１１の接続部材１１ｃが端子部材９に接触し、この別の第１カード１１に対する信号の送受信が端子部材９を介して可能となる。
【００４６】
このように、左側挿入空間３に第１カード１１を収納し、右側挿入空間４に別の第１カード１１を収納させた状態で、すなわち２枚の第１カード１１を左右に並べた状態で、これらの第１カード１１に対する信号の送受信が可能となる。
【００４７】
［第２カードの挿入操作］
図９は本実施形態に第２カード１２が差し込まれた挿入時の状態を示す平面図、図１０は図９に示す状態から第２カード１２がさらに押し込まれた挿入途中の状態を示す平面図である。図１１は図１０に示す状態から第２カード１２がさらに押し込まれ所定の装着位置に係止されたときの状態を示す平面図である。
【００４８】
本実施形態は、上述したように基準幅を有する第１カード１１を２枚左右に並べて所定の装着位置に係止させることができるとともに、１枚の２倍幅の第２カード１１を所定の装着位置に係止させることができる。
【００４９】
すなわち、図４に示すカード未装着状態から、図９に示すように、第２カード１２がカード挿入口１０から挿入されると、この第２カード１１の左側端部が左側のテーパ部１０ａから左側壁１ａに案内され、右側端部が右側のテーパ部１０ａから右側壁１ｂに案内される。
【００５０】
この状態からさらに第２カード１２を押し込むと、図１０に示すように、第２カード１２のガイド突部１２ａが左側案内部５の直線部５ｂに係合して、この直線部５ｂに沿って案内され、ガイド突部１２ｂが右側案内部６の直線部６ｄに係合して、この直線部６ｄに沿って案内される。これとともに、第２カード１２のガイド突部１２ａの底面が基台１の左側底面７ａ上を摺動し、ガイド突部１２ｂの底面が右側底面７ｂ上を摺動する。
【００５１】
引き続いて第２カード１２が押し込まれると、図１１に示すように、この第２カード１２が所定の装着位置に係止される。このとき、図３に示す第２カード１２の接続部材１２ｃが本実施形態の接続端子８に接触し、第２カード１２の接続部材１２ｄが本実施形態の接続端子９に接触する。したがって、接続端子８，９を介して第２カード１２に対する信号の送受信が可能となる。
【００５２】
上述したように本実施形態は、第１カード１１を左右に並べて収納できるとともに、挿入される第１カード１１は、振り分け部すなわち導入部であるテーパ部４ａ，５ｃ、あるいは６ａ，６ｃによって左側案内部５、右側案内部６のどちらかに確実に振り分けられる。したがって、第１カード１１を挿入する際に、左側挿入空間３に向けて、あるいは右側挿入空間４に向けて、大体の目安で挿入すればよい。つまり、第１カード１１の挿入時に、カード挿入口１０に対する慎重な位置合わせを必要とすることがない。これらにより、装置の薄型化を実現できるとともに、第１カード１１の挿入操作性を向上させることができ、信頼性の高い装置を実現させることができる。
【００５３】
また、第１カード１１を左側案内部５、右側案内部６に振り分ける振り分け部が、左側導入部、右側導入部から成っている。左側導入部は、左側案内部５に含まれるテーパ部５ａ，５ｃ、及び先端部５ｅから成り、右側導入部は、右側案内部６に含まれるテーパ部６ａ，６ｃ、及び先端部６ｅから成っている。すなわち、振り分け部を構成する左側導入部、右側導入部が左側案内部５、右側案内部６に含まれることから、これらの左側導入部、右側導入部を左側案内部５、右側案内部６の形成時に同時に形成することができ、何ら特別な部材とすることがない。したがって、この振り分け部の製作が容易であり、製作費の低減に貢献する。
【００５４】
また本実施形態は、左側案内部５の先端部５ｅと右側案内部６の先端部６ｅとの距離を、第１カード１１のガイド突部１１ａ，１１ｂ間の距離とほぼ等しく設定してある。したがって例えば、第１カード１１を左側挿入空間３に向けて挿入したときは、この第１カード１１のガイド突部１１ａ，１１ｂが右側案内部６の先端部６ｅに衝合することがなく、この第１カード１１を確実に左側案内部５によって案内させることができる。同様に、第１カード１１を右側挿入空間４に向けて挿入したときは、この第１カード１１のガイド突部１１ａ，１１ｂが左側案内部５の先端部６に衝合することがなく、この第２カード１２を確実に右側案内部６によって案内させることができる。すなわち、第１カード１１を挿入する者の意図に従って確実に第１カード１１を所定の装着位置に係止させることができ、この点でも信頼性の高い装置が得られる。
【００５５】
なお上記実施形態では、左側案内部５の先端部５ｅの位置と、右側案内部６の先端部６ｅの位置とを、カード挿入方向に対してほぼ同じ位置となるように設定してあるが、本発明は、このように構成することに限られない。先端部５ｅの位置と、先端部６ｅの位置とを、カード挿入方向に対して互いにずれた位置に設定した構成にしてもよい。
【００５６】
このように構成したものでは、第１カード１１が左側挿入空間３と右側挿入空間４の間のほぼ中央位置に挿入されたとき、先端部５ｅ及び先端部６ｅのうちのカード挿入口１０に近い側に位置する先端部に第１カード１１のガイド突部１１ａ、あるいは１１ｂが当る傾向となりやすい。これにより、第１カード１１が傾き、そのカード挿入口１０に近い側に位置する先端部が含まれる案内部に第１カード１１を確実に振り分けることができる。例えば先端部５ｅが先端部６ｅよりもカード挿入口１０に近くなるように設定したとする。この場合に、第１カード１１が左側挿入空間３と右側挿入空間４の中間に挿入され、第１カード１１のガイド突部１１ａが先端部５ｅに当ると、第１カード１１は、図１の（ａ）図で反時計回りに傾く傾向となる。これにより、第１カード１１のガイド突部１１ａと先端部５ｅとの間で滑りを生じ、ガイド突部１１ａとガイド突部１１ｂとの間に先端部５ｅを位置させることができる。したがって、第１カード１１は、左側導入部を構成するテーパ部５ａによって左側案内部５に振り分けられ、この左側案内部５によって案内されて所定の装着位置に係止される。
【００５７】
このように上述した構成によれば、カード未装着の状態から第１カード１１を挿入する際に、カード挿入口１０に近い方の先端部が含まれる案内部に、より確実に振り分けることができる。
【００５８】
また、上記実施形態では、左側案内部５に振り分け部を構成する左側導入部、すなわちテーパ部５ａ，５ｃ、先端部５ｅを含ませ、右側案内部６に振り分け部を構成する右側導入部、すなわちテーパ部６ａ，６ｃ、先端部６ｅを含ませた構成にしてある。しかし、本発明は、このように構成することには限られず、振り分け部を構成する左側導入部、右側導入部を、左側案内部５、右側案内部６とは独立させて設ける構成にしてもよい。
【００５９】
また、上記実施形態では、上述したように左側導入部をテーパ部５ａ，５ｃ、先端部５ｅによって構成し、右側導入部をテーパ部６ａ，６ｃ、先端部６ｅによって構成してある。しかし本発明は、このようにテーパ部５ａ，５ｃ，６ａ，６ｃを設ける構成とすることには限られず、これらのテーパ部５ａ，５ｃ，６ａ，６ｃに代えて曲線形状部を設ける構成にしてもよい。要するに、第１カード１１を左側案内部５、右側案内部６のいずれかに確実に、しかも滑らかに移動させるように振り分ける形状に形成してあればよい。
【００６０】
また、上記実施形態では、２枚の第１カード１１を左右に収納可能に構成してあるが、本発明は、このように構成することには限られず、３枚以上の第１カード１１を収納可能に構成してもよい。その場合、第２カード１２は２倍幅のものに設定してもよく、３倍幅以上のものに設定してもよい。
【００６１】
【発明の効果】
本発明は以上のように、カードを左側案内部及び右側案内部のいずれかに振り分ける振り分け部を設けた構成にしてあることから、複数枚のカードを左右に並べて収納させることができ、装置の薄型化を実現させることができる。また、これらのカードの挿入操作性を向上させることができ、これにより、カード案内機能に優れた信頼性の高い装置を実現させることができる。
【図面の簡単な説明】
【図１】本発明のカード用コネクタ装置の一実施形態を示す図で、（ａ）図は平面図、（ｂ）図は正面図、（ｃ）図は側面図である。
【図２】図１に示す本実施形態で使用される基準幅の第１カードを示す図で、（ａ）図は裏面図、（ｂ）図は側面図、（ｃ）図は（ｂ）図のＢ部断面図、（ｄ）図は背面図である。
【図３】図１に示す本実施形態で使用される２倍幅の第２カードを示す図で、（ａ）図は裏面図、（ｂ）図は側面図、（ｃ）図は背面図である。
【図４】図１に示す本実施形態において蓋部を除いた状態を示す平面図である。
【図５】本実施形態に第１カードが差し込まれた挿入時の状態を示す平面図である。
【図６】図５に示す状態から第１カードがさらに押し込まれた挿入途中の状態を示す平面図である。
【図７】図６に示す状態から第１カードがさらに押し込まれ所定の装着位置に係止された状態を示す平面図である。
【図８】第１カードが所定の装着位置に係止されたときの要部拡大側断面図である。
【図９】本実施形態に第２カードが差し込まれた挿入時の状態を示す平面図である。
【図１０】図９に示す状態から第２カードがさらに押し込まれた挿入途中の状態を示す平面図である。
【図１１】図１０に示す状態から第２カードがさらに押し込まれ所定の装着位置に係止されたときの状態を示す平面図である。
【符号の説明】
１    基台
１ａ  左側壁
１ｂ  右側壁
２    蓋部
３    左側挿入空間
４    右側挿入空間
５    左側案内部
５ａ  テーパ部（左側導入部）〔振り分け部〕
５ｂ  直線部
５ｃ  テーパ部（左側導入部）〔振り分け部〕
５ｄ  直線部
５ｅ  先端部（左側導入部）
６    右側案内部
６ａ  テーパ部（右側導入部）〔振り分け部〕
６ｂ  直線部
６ｃ  テーパ部（右側導入部）〔振り分け部〕
６ｄ  直線部
６ｅ  先端部（右側導入部）
７    中央底面
７ａ  左側底面
７ｂ  右側底面
８    端子部材
９    端子部材
１０  カード挿入口
１０ａ  テーパ部
１１    第１カード
１１ａ  ガイド突部
１１ｂ  ガイド突部
１１ｃ  接続部材
１２    第２カード
１２ａ  ガイド突部
１２ｂ  ガイド突部
１２ｃ  接続部材
１２ｄ  接続部材
【図１】
2004151991.tif 000003
【図２】
2004151991.tif 000004
【図３】
2004151991.tif 000005
【図４】
2004151991.tif 000006
【図５】
2004151991.tif 000007
【図６】
2004151991.tif 000008
【図７】
2004151991.tif 000009
【図８】
2004151991.tif 000010
【図９】
2004151991.tif 000011
【図１０】
2004151991.tif 000012
【図１１】
2004151991.tif 000013